(57)【要約】【課題】面会者に不快感を与えることなく、スムーズに面会すること。【解決手段】政治資金パーティ等の集会を主催する主催者と面会する面会者に携帯される集会チケット１０1に設けられたＩＣタグ１１1から、該面会者に関する面会者ＩＤをリードするステップと、面会者ＩＤに基づいて、主催者が面会者と面識があるか否かを判断するステップと、当該面会者との面識の有無を主催者に音声で報知するとともに、携帯端末８０を経由して秘書にも面識の有無を報知するステップとを含む。【選択図】        図１
2005209016.tif 000002
【特許請求の範囲】
【請求項１】
コンピュータに、
集会の開催者と面会する面会者に携帯されるチケットに設けられた電子タグから、該面会者に関する面会者情報をリードするリード工程と、
前記面会者情報に基づいて、前記開催者が前記面会者と面識があるか否かを判断する面識判断工程と、
前記面識判断工程の判断結果を前記開催者に報知する報知工程と、
を実行させるための面会支援プログラム。
【請求項２】
前記コンピュータに、前記開催者と前記面会者との会話を音声情報として録音する録音工程と、前記面会者情報および面会時刻に対応付けて、前記音声情報を格納する音声情報格納工程と、を実行させることを特徴とする請求項１に記載の面会支援プログラム。
【請求項３】
前記電子タグには、前記面会者が代理人であることを表す代理人情報が記憶されており、前記リード工程では、該代理人に携帯されるチケットに設けられた電子タグから該代理人情報をリードし、前記報知工程では、前記代理人情報に基づいて、前記開催者と面会している者が代理人である旨を報知することを特徴とする請求項１に記載の面会支援プログラム。
【請求項４】
前記コンピュータに、前記開催者と前記代理人との会話を音声情報として録音する録音工程と、前記代理人情報および面会時刻に対応付けて、前記音声情報を格納する音声情報格納工程と、を実行させることを特徴とする請求項３に記載の面会支援プログラム。
【請求項５】
前記報知工程では、前記面会者に関するプロファイルおよび前記判断結果を前記開催者に報知することを特徴とする請求項１〜４のいずれか一つに記載の面会支援プログラム。
【請求項６】
集会の開催者と面会する面会者に携帯されるチケットに設けられた電子タグから、該面会者に関する面会者情報をリードするリード工程と、
前記面会者情報に基づいて、前記開催者が前記面会者と面識があるか否かを判断する面識判断工程と、
前記面識判断工程の判断結果を前記開催者に報知する報知工程と、
を含むことを特徴とする面会支援方法。
【請求項７】
前記開催者と前記面会者との会話を音声情報として録音する録音工程と、前記面会者情報および面会時刻に対応付けて、前記音声情報を格納する音声情報格納工程と、を含むことを特徴とする請求項６に記載の面会支援方法。
【請求項８】
前記電子タグには、前記面会者が代理人であることを表す代理人情報が記憶されており、前記リード工程では、該代理人に携帯されるチケットに設けられた電子タグから該代理人情報をリードし、前記報知工程では、前記代理人情報に基づいて、前記開催者と面会している者が代理人である旨を報知することを特徴とする請求項６に記載の面会支援方法。
【請求項９】
前記開催者と前記代理人との会話を音声情報として録音する録音工程と、前記代理人情報および面会時刻に対応付けて、前記音声情報を格納する音声情報格納工程と、を含むことを特徴とする請求項８に記載の面会支援方法。
【請求項１０】
前記報知工程では、前記面会者に関するプロファイルおよび前記判断結果を前記開催者に報知することを特徴とする請求項６〜９のいずれか一つに記載の面会支援方法。
【請求項１１】
集会の開催者と面会する面会者に携帯されるチケットに設けられた電子タグから、該面会者に関する面会者情報をリードするリード手段と、
前記面会者情報に基づいて、前記開催者が前記面会者と面識があるか否かを判断する面識判断手段と、
前記面識判断手段の判断結果を前記開催者に報知する報知手段と、
を備えたことを特徴とする面会支援装置。
【請求項１２】
前記開催者と前記面会者との会話を音声情報として録音する録音手段と、前記面会者情報および面会時刻に対応付けて、前記音声情報を格納する音声情報格納手段と、を備えたことを特徴とする請求項１１に記載の面会支援装置。
【請求項１３】
前記電子タグには、前記面会者が代理人であることを表す代理人情報が記憶されており、前記リード手段は、該代理人に携帯されるチケットに設けられた電子タグから該代理人情報をリードし、前記報知手段は、前記代理人情報に基づいて、前記開催者と面会している者が代理人である旨を報知することを特徴とする請求項１１に記載の面会支援装置。
【請求項１４】
前記開催者と前記代理人との会話を音声情報として録音する録音手段と、前記代理人情報および面会時刻に対応付けて、前記音声情報を格納する音声情報格納手段と、を備えたことを特徴とする請求項１３に記載の面会支援装置。
【請求項１５】
前記報知手段は、前記面会者に関するプロファイルおよび前記判断結果を前記開催者に報知することを特徴とする請求項１１〜１４のいずれか一つに記載の面会支援装置。
【発明の詳細な説明】
【技術分野】
【０００１】
本発明は、集会における主催者と面会者との間の面会を支援するための面会支援プログラム、面会支援方法および面会支援装置に関するものであり、特に、面会者に不快感を与えることなく、スムーズに面会することができる面会支援プログラム、面会支援方法および面会支援装置に関するものである。
【背景技術】
【０００２】
従来より、政治資金パーティ等の集会は、主催者と多数の参加者とが立食形式で集う場合が多い。
【０００３】
一般的には、主催者が、大きなバラを有する記章を胸元に取り付ける一方、参加者が、招待券等の集会チケットを上部が見える状態で胸ポケットに挿入することにより、主催者と参加者とを判別するとともに、主催者および参会者以外の不審者が容易に集会会場に紛れ込まないようにするための配慮がなされている。
【０００４】
また、集会会場において、主催者は、知人（旧知の参会者）を見つけて挨拶を交わすとともに、面識が無い参加者と積極的に名刺交換を行い交際範囲の拡大を図る。
【０００５】
【特許文献１】特開２００２−２３０４２２号公報
【発明の開示】
【発明が解決しようとする課題】
【０００６】
ところで、従来の集会において、主催者は、短時間に多数の参加者（以下、面会者という）と面会するとともに、名刺交換を行うため、全員の面会者の顔や名前を正確に記憶することが難しい状況におかれる。
【０００７】
従って、従来の集会においては、過去に面会し名刺交換をしているにも関わらず、再度の面会で初対面の振る舞い（名刺交換）をしてしまい、当該面会者に不快感を与えかねないという問題があった。
【０００８】
本発明は、上記に鑑みてなされたものであって、面会者に不快感を与えることなく、スムーズに面会することができる面会支援プログラム、面会支援方法および面会支援装置を提供することを目的とする。
【課題を解決するための手段】
【０００９】
上述した課題を解決し、目的を達成するために、本発明は、コンピュータに、集会の開催者と面会する面会者に携帯されるチケットに設けられた電子タグから、該面会者に関する面会者情報をリードするリード工程と、前記面会者情報に基づいて、前記開催者が前記面会者と面識があるか否かを判断する面識判断工程と、前記面識判断工程の判断結果を前記開催者に報知する報知工程と、を実行させるための面会支援プログラムである。
【００１０】
本発明によれば、集会の開催者と面会する面会者に携帯されるチケットに設けられた電子タグから、該面会者に関する面会者情報をリードし、面会者情報に基づいて、開催者が面会者と面識があるか否かの判断結果を開催者に報知することとしたので、再度の面会であるにもかかわらず初対面の振る舞いをする行為が防止されるため、面会者に不快感を与えることなく、スムーズに面会することができる。
【００１１】
また、本発明は、上記発明において、前記コンピュータに、前記開催者と前記面会者との会話を音声情報として録音する録音工程と、前記面会者情報および面会時刻に対応付けて、前記音声情報を格納する音声情報格納工程と、を実行させることを特徴とする。
【００１２】
本発明によれば、開催者と面会者との会話を音声情報として録音し、面会者情報および面会時刻に対応付けて、音声情報を格納することとしたので、後日に音声情報を再生することにより、開催者に面会者を印象付けることができる。
【００１３】
また、本発明は、上記発明において、前記電子タグには、前記面会者が代理人であることを表す代理人情報が記憶されており、前記リード工程では、該代理人に携帯されるチケットに設けられた電子タグから該代理人情報をリードし、前記報知工程では、前記代理人情報に基づいて、前記開催者と面会している者が代理人である旨を報知することを特徴とする。
【００１４】
本発明によれば、電子タグには、面会者が代理人であることを表す代理人情報が記憶されており、該代理人に携帯されるチケットに設けられた電子タグから該代理人情報をリードし、代理人情報に基づいて、開催者と面会している者が代理人である旨を報知することとしたので、開催者が面会している者を代理人と認識した上でスムーズに面会することができる。
【００１５】
また、本発明は、上記発明において、前記コンピュータに、前記開催者と前記代理人との会話を音声情報として録音する録音工程と、前記代理人情報および面会時刻に対応付けて、前記音声情報を格納する音声情報格納工程と、を実行させることを特徴とする。
【００１６】
本発明によれば、開催者と代理人との会話を音声情報として録音し、代理人および面会時刻に対応付けて、音声情報を格納することとしたので、後日に音声情報を再生することにより、開催者に代理人を印象付けることができる。
【００１７】
また、本発明は、上記発明において、前記報知工程では、前記面会者に関するプロファイルおよび前記判断結果を前記開催者に報知することを特徴とする。
【００１８】
本発明によれば、面会者に関するプロファイルおよび判断結果を開催者に報知することとしたので、プロファイルに基づいて、面会者と中身が濃い会話をすることができる。
【００１９】
また、本発明は、集会の開催者と面会する面会者に携帯されるチケットに設けられた電子タグから、該面会者に関する面会者情報をリードするリード工程と、前記面会者情報に基づいて、前記開催者が前記面会者と面識があるか否かを判断する面識判断工程と、前記面識判断工程の判断結果を前記開催者に報知する報知工程と、を含むことを特徴とする。
【００２０】
本発明によれば、集会の開催者と面会する面会者に携帯されるチケットに設けられた電子タグから、該面会者に関する面会者情報をリードし、面会者情報に基づいて、開催者が面会者と面識があるか否かの判断結果を開催者に報知することとしたので、再度の面会であるにもかかわらず初対面の振る舞いをする行為が防止されるため、面会者に不快感を与えることなく、スムーズに面会することができる。
【００２１】
また、本発明は、上記発明において、前記開催者と前記面会者との会話を音声情報として録音する録音工程と、前記面会者情報および面会時刻に対応付けて、前記音声情報を格納する音声情報格納工程と、を含むことを特徴とする。
【００２２】
本発明によれば、開催者と面会者との会話を音声情報として録音し、面会者情報および面会時刻に対応付けて、音声情報を格納することとしたので、後日に音声情報を再生することにより、開催者に面会者を印象付けることができる。
【００２３】
また、本発明は、上記発明において、前記電子タグには、前記面会者が代理人であることを表す代理人情報が記憶されており、前記リード工程では、該代理人に携帯されるチケットに設けられた電子タグから該代理人情報をリードし、前記報知工程では、前記代理人情報に基づいて、前記開催者と面会している者が代理人である旨を報知することを特徴とする。
【００２４】
本発明によれば、電子タグには、面会者が代理人であることを表す代理人情報が記憶されており、該代理人に携帯されるチケットに設けられた電子タグから該代理人情報をリードし、代理人情報に基づいて、開催者と面会している者が代理人である旨を報知することとしたので、開催者が面会している者を代理人と認識した上でスムーズに面会することができる。
【００２５】
また、本発明は、上記発明において、前記開催者と前記代理人との会話を音声情報として録音する録音工程と、前記代理人情報および面会時刻に対応付けて、前記音声情報を格納する音声情報格納工程と、を含むことを特徴とする。
【００２６】
本発明によれば、開催者と代理人との会話を音声情報として録音し、代理人および面会時刻に対応付けて、音声情報を格納することとしたので、後日に音声情報を再生することにより、開催者に代理人を印象付けることができる。
【００２７】
また、本発明は、上記発明において、前記報知工程では、前記面会者に関するプロファイルおよび前記判断結果を前記開催者に報知することを特徴とする。
【００２８】
本発明によれば、面会者に関するプロファイルおよび判断結果を開催者に報知することとしたので、プロファイルに基づいて、面会者と中身が濃い会話をすることができる。
【００２９】
また、本発明は、集会の開催者と面会する面会者に携帯されるチケットに設けられた電子タグから、該面会者に関する面会者情報をリードするリード手段と、前記面会者情報に基づいて、前記開催者が前記面会者と面識があるか否かを判断する面識判断手段と、前記面識判断手段の判断結果を前記開催者に報知する報知手段と、を備えたことを特徴とする。
【００３０】
本発明によれば、集会の開催者と面会する面会者に携帯されるチケットに設けられた電子タグから、該面会者に関する面会者情報をリードし、面会者情報に基づいて、開催者が面会者と面識があるか否かの判断結果を開催者に報知することとしたので、再度の面会であるにもかかわらず初対面の振る舞いをする行為が防止されるため、面会者に不快感を与えることなく、スムーズに面会することができる。
【００３１】
また、本発明は、上記発明において、前記開催者と前記面会者との会話を音声情報として録音する録音手段と、前記面会者情報および面会時刻に対応付けて、前記音声情報を格納する音声情報格納手段と、を備えたことを特徴とする。
【００３２】
本発明によれば、開催者と面会者との会話を音声情報として録音し、面会者情報および面会時刻に対応付けて、音声情報を格納することとしたので、後日に音声情報を再生することにより、開催者に面会者を印象付けることができる。
【００３３】
また、本発明は、上記発明において、前記電子タグには、前記面会者が代理人であることを表す代理人情報が記憶されており、前記リード手段は、該代理人に携帯されるチケットに設けられた電子タグから該代理人情報をリードし、前記報知手段は、前記代理人情報に基づいて、前記開催者と面会している者が代理人である旨を報知することを特徴とする。
【００３４】
本発明によれば、電子タグには、面会者が代理人であることを表す代理人情報が記憶されており、該代理人に携帯されるチケットに設けられた電子タグから該代理人情報をリードし、代理人情報に基づいて、開催者と面会している者が代理人である旨を報知することとしたので、開催者が面会している者を代理人と認識した上でスムーズに面会することができる。
【００３５】
また、本発明は、上記発明において、前記開催者と前記代理人との会話を音声情報として録音する録音手段と、前記代理人情報および面会時刻に対応付けて、前記音声情報を格納する音声情報格納手段と、を備えたことを特徴とする。
【００３６】
本発明によれば、開催者と代理人との会話を音声情報として録音し、代理人および面会時刻に対応付けて、音声情報を格納することとしたので、後日に音声情報を再生することにより、開催者に代理人を印象付けることができる。
【００３７】
また、本発明は、上記発明において、前記報知手段は、前記面会者に関するプロファイルおよび前記判断結果を前記開催者に報知することを特徴とする。
【００３８】
本発明によれば、面会者に関するプロファイルおよび判断結果を開催者に報知することとしたので、プロファイルに基づいて、面会者と中身が濃い会話をすることができる。
【発明の効果】
【００３９】
本発明によれば、集会の開催者と面会する面会者に携帯されるチケットに設けられた電子タグから、該面会者に関する面会者情報をリードし、面会者情報に基づいて、開催者が面会者と面識があるか否かの判断結果を開催者に報知することとしたので、再度の面会であるにもかかわらず初対面の振る舞いをする行為が防止されるため、面会者に不快感を与えることなく、スムーズに面会することができるという効果を奏する。
【００４０】
また、本発明によれば、開催者と面会者との会話を音声情報として録音し、面会者情報および面会時刻に対応付けて、音声情報を格納することとしたので、後日に音声情報を再生することにより、開催者に面会者を印象付けることができるという効果を奏する。
【００４１】
また、本発明によれば、電子タグには、面会者が代理人であることを表す代理人情報が記憶されており、該代理人に携帯されるチケットに設けられた電子タグから該代理人情報をリードし、代理人情報に基づいて、開催者と面会している者が代理人である旨を報知することとしたので、開催者が面会している者を代理人と認識した上でスムーズに面会することができるという効果を奏する。
【００４２】
また、本発明によれば、開催者と代理人との会話を音声情報として録音し、代理人および面会時刻に対応付けて、音声情報を格納することとしたので、後日に音声情報を再生することにより、開催者に代理人を印象付けることができるという効果を奏する。
【００４３】
また、本発明によれば、面会者に関するプロファイルおよび判断結果を開催者に報知することとしたので、プロファイルに基づいて、面会者と中身が濃い会話をすることができるという効果を奏する。
【発明を実施するための最良の形態】
【００４４】
以下に、本発明にかかる面会支援プログラム、面会支援方法および面会支援装置の一実施例を図面に基づいて詳細に説明する。なお、この一実施例によりこの発明が限定されるものではない。
【実施例】
【００４５】
図１は、本発明にかかる一実施例の構成を示すブロック図である。同図には、政治資金パーティ等の集会において、主催者と面会者（集会の参加者や、参加者の代理人）との間の面会で、ＩＣ（Integrated Circuit）タグを利用して、当該面会者に面識があるか否かを主催者に報知し、スムーズな面会を支援するための面会支援システムが図示されている。
【００４６】
ここで、集会においては、主催者、秘書、面会者および代理人が登場する。主催者は、集会を主催する者（開催者も含む）であり、例えば、政治家である。秘書は、主催者を補助する者である。面会者および代理人は、集会の参加者であり、会場で主催者と面会する可能性がある者である。
【００４７】
面会者は、主催者により参加者として招待された者である。従って、主催者は、面会者の氏名や主催者との面識の有無、プロファイル（所属組織、役職等）を把握している。
【００４８】
一方、代理人は、面会者が集会に参加できない場合に、該面会者の代理で集会に出席する者である。従って、主催者は、代理人の氏名等を把握していない。ここで、面会者が新規の参加者を同伴して集会に参加した場合、かかる新規の参加者は、システム上、代理人として扱われる。
【００４９】
この面会支援システムにおいて、集会チケット１０1〜１０100は、会場の受け付けで１００人の各面会者に渡される招待券等であり、会場内で各面会者の胸ポケットに上部が見える状態で挿入される。
【００５０】
ＩＣタグ１１1〜１１100は、非接触で情報のリード／ライトが可能な電子タグの一種であり、特殊印刷、埋め込み、接着等により、集会チケット１０1〜１０100に設けられている。これらのＩＣタグ１１1〜１１100は、図示しないアンテナ、メモリおよびＩＣから構成されている。
【００５１】
アンテナは、後述するＩＣタグリーダ４０からの誘導電磁界中に置かれることにより発生する起電力をメモリおよびＩＣへ供給する。ＩＣタグ１１1〜１１100の各メモリには、面会者ＩＤ１２1〜１２100がそれぞれライトされている。これらの面会者ＩＤ１２1〜１２100は、各面会者を識別するための識別子であり、Ｔ０００１〜Ｔ０１００とされている。
【００５２】
また、これらの面会者ＩＤ１２1〜１２100（Ｔ０００１〜Ｔ０１００）は、後述する面会者情報管理装置９０の面会者情報データベース９６（図２参照）で管理されている。
【００５３】
代理人用集会チケット２０1〜２０50は、会場の受け付けで５０人の各代理人に渡される招待券等であり、会場内で各代理人の胸ポケットに上部が見える状態で挿入される。
【００５４】
ＩＣタグ２１1〜２１50は、非接触で情報のリード／ライトが可能な電子タグの一種であり、特殊印刷、埋め込み、接着等により、代理人用集会チケット２０1〜２０50に設けられている。これらのＩＣタグ２１1〜２１50は、図示しないアンテナ、メモリおよびＩＣから構成されている。
【００５５】
アンテナは、後述するＩＣタグリーダ４０からの誘導電磁界中に置かれることにより発生する起電力をメモリおよびＩＣへ供給する。ＩＣタグ２１1〜２１50の各メモリには、面会者ＩＤ２２1〜２２50がそれぞれライトされている。
【００５６】
これらの面会者ＩＤ２２1〜２２50は、面会者としての各代理人を識別するための識別子であり、Ｄ０００１〜Ｄ００５０とされている。ここで、面会者ＩＤ１２1〜１２100、面会者ＩＤ２２1〜２２50においては、アルファベットが「Ｔ」である場合、面会者に対応しており、アルファベットが「Ｄ」である場合、代理人に対応している。
【００５７】
また、これらの面会者ＩＤ２２1〜２２50（Ｄ０００１〜Ｄ００５０）は、後述する面会者情報管理装置９０の面会者情報データベース９６（図２参照）で管理される。
【００５８】
記章３０は、大きなバラを有しており、主催者の胸元に取り付けられている。ＩＣタグリーダ４０は、記章３０に取り付けられており、主催者が面会者または代理人と面会した際に、集会チケット（集会チケット１０1等）または代理人用集会チケット（代理人用集会チケット２０1等）に設けられたＩＣタグ（ＩＣタグ１１1やＩＣタグ２１1等）から面会者ＩＤ（面会者ＩＤ１２1や面会者ＩＤ２２1等）を非接触でリードする機能を備えている。
【００５９】
イヤホン５０は、主催者の耳に装着され、音声（面会者との面識の有無に関する情報等）を出力する。マイク６０は、主催者と面会者（代理人）との間の会話を音声情報に変換する機能を備えている。
【００６０】
面会支援装置７０は、主催者に携帯された小型装置であり、面会者（代理人）との面会を支援するための装置である。面会支援装置７０において、制御部７１は、装置各部を制御する。この制御部７１の動作の詳細については、後述する。入出力インタフェース７２には、入出力機器として、ＩＣタグリーダ４０、イヤホン５０およびマイク６０が接続されている。
【００６１】
記憶部７３は、制御部７１で用いられるコンピュータプログラムや各種情報を記憶する。無線通信部７４は、所定の通信プロトコルに従って、後述する面会者情報管理装置９０との間の無線通信を制御する。
【００６２】
携帯端末８０は、秘書により携帯された携帯電話端末、ＰＨＳ（Personal Handyphone System）端末、ＰＤＡ（Personal Digital Assistant）等であり、通話機能、電子メール送受信機能等を備えている。携帯端末８０において、制御部８１は、各部を制御する。記憶部８２は、制御部８１で用いられるコンピュータプログラムや各種情報を記憶する。
【００６３】
表示部８３は、ＬＣＤ（Liquid Crystal Display）であり、各種情報や、後述する各種情報（図６〜図８参照）等を表示する。入力部８４は、テンキー、ファンクションキー等である。無線通信部８５は、無線を介して、無線基地局１１０および移動通信ネットワーク１００に接続されており、所定の通信プロトコルに従って、通信を制御する。スピーカ８６は、音声やアラーム音等を発する。マイク８７は、通話時に用いられ、音声を電気信号に変換する。
【００６４】
面会者情報管理装置９０は、面会者（代理人も含む）に関する面会者情報を管理するための装置である。面会者情報管理装置９０において、制御部９１は、各部を制御する。この制御部９１の動作の詳細については、後述する。記憶部９２は、制御部９１で用いられるコンピュータプログラムや各種情報を記憶する。タイマ９３は、時刻情報を制御部９１へ時々刻々出力する。
【００６５】
無線通信部９４は、所定の通信プロトコルに従って、面会支援装置７０との間の無線通信を制御する。通信部９５は、移動通信ネットワーク１００に接続されており、所定の通信プロトコルに従って通信を制御する。
【００６６】
面会者情報データベース９６は、当該集会における参加者としての面会者（代理人も含む）に関する面会者情報を格納するデータベースである。具体的には、面会者情報データベース９６は、図２に示したように、「面会者ＩＤ」、「面会者氏名」、「面識フラグ」、「プロファイル」、「面会日時」、「音声情報ファイル」というフィールドを備えている。
【００６７】
「面会者ＩＤ」は、面会者（代理人も含む）を識別するための識別子であり、面会者ＩＤ１２1〜１２100、面会者ＩＤ２２1〜２２50に対応している。「面会者氏名」は、面会者の氏名に関する情報である。なお、代理人の場合には、氏名が不明であるため、「面会者氏名」は、「代理人」と設定される。
【００６８】
「面識フラグ」は、主催者が、面会した面会者と面識があるか否かを表すフラグである。面識がある場合には、「面識フラグ」が１に設定される。一方、面識が無い場合には、「面識フラグ」が０に設定される。
【００６９】
「プロファイル」は、面会者に関する所属組織、役職、面会日、備考等に関する情報であり、面会時に主催者および秘書に報知される。「面会日時」は、主催者が実際に面会者（代理人も含む）に面会した日時に関する情報である。「音声情報ファイル」は、主催者と面会者との会話を録音した音声情報ファイルに関する情報である。
【００７０】
つぎに、一実施例の動作について、図３〜図５に示したフローチャート、図６〜図８を参照しつつ説明する。図３に示したステップＳＡ１では、面会支援装置７０の制御部７１は、ＩＣタグから面会者ＩＤをリードしたか否かを判断し、この場合、判断結果を「Ｎｏ」として、同判断を繰り返す。
【００７１】
そして、集会の会場において、代理人用集会チケット２０1（ＩＣタグ２１1）を携帯した代理人が、主催者と面会すべく、主催者に近づくと、ＩＣタグリーダ４０は、ＩＣタグ２１1から面会者ＩＤ２２1（Ｄ０００１）を非接触でリードする。
【００７２】
これにより、面会支援装置７０の制御部７１は、ステップＳＡ１の判断結果を「Ｙｅｓ」とする。ステップＳＡ２では、制御部７１は、面会者ＩＤ２２1（Ｄ０００１）を面会者情報管理装置９０へ送信する。
【００７３】
そして、面会者ＩＤ２２1（Ｄ０００１）が面会者情報管理装置９０に受信されると、ステップＳＡ３では、面会者情報管理装置９０の制御部９１は、面会支援装置７０からの面会者ＩＤが代理人用（アルファベットが「Ｄ」）であるか否かを判断し、この場合、判断結果を「Ｙｅｓ」とする。ステップＳＡ４では、制御部９１は、図２に示したように、面会者ＩＤ２２1（Ｄ０００１）に対応付けて、新たなレコード９６ａを面会者情報データベース９６に追加する。
【００７４】
ステップＳＡ５では、制御部９１は、タイマ９３からの時刻情報に基づいて、面会者ＩＤ２２1（Ｄ０００１）を受信した日時を、主催者が代理人と面会した面会日時（2004/1/5 17:50）として、レコード９６ａ（図２参照）に格納する。
【００７５】
ステップＳＡ６では、制御部９１は、代理人通知音声情報および代理人通知情報２００（図６参照）を作成する。代理人通知音声情報は、主催者と面会している者が代理人（面識無し）である旨を主催者に音声で通知するための音声情報である。一方、図６に示した代理人通知情報２００は、主催者と面会している者が代理人（面識無し）である旨を秘書に文字で通知するための情報である。
【００７６】
ステップＳＡ７では、制御部９１は、移動通信ネットワーク１００および無線基地局１１０を介して、携帯端末８０の電子メールアドレス宛に代理人通知情報２００（図６参照）を送信する。ステップＳＡ８では、携帯端末８０の制御部８１は、代理人通知情報２００を表示部８３に表示させる。これにより、秘書は、主催者と面会している者が代理人（面識無し）であることを認識する。
【００７７】
また、ステップＳＡ９では、制御部９１は、代理人通知音声情報を面会支援装置７０へ送信する。ステップＳＡ１０では、面会支援装置７０の制御部７１は、面会者情報管理装置９０からの代理人通知音声情報をイヤホン５０へ出力する。これにより、イヤホン５０からは、「代理人で面識無し」という音声が出力される。主催者は、現在面会している者が代理人（面識無し）であることを認識し、代理人と挨拶や情報交換のために会話をしたり、名刺を交換する。
【００７８】
ステップＳＡ１１では、制御部７１は、主催者と代理人との会話をマイク６０を介して、録音し、会話に対応する音声情報ファイルを記憶部７３に一時記憶させる。ステップＳＡ１２では、制御部７１は、一定時間以上無音であるか否か、すなわち、当該面会が終了したか否かを判断し、この場合、判断結果を「Ｎｏ」として、ステップＳＡ１１の処理を実行する。
【００７９】
そして、面会が終了し、一定時間以上無音になると、制御部７１は、ステップＳＡ１２の判断結果を「Ｙｅｓ」とする。ステップＳＡ１３では、制御部７１は、記憶部７３に格納された音声情報ファイル（D0001.wav）を当該面会者ＩＤ２２1（Ｄ０００１）に対応付けて、面会者情報管理装置９０へ送信する。
【００８０】
ステップＳＡ１４では、面会者情報管理装置９０の制御部９１は、面会者ＩＤ２２1（Ｄ０００１）に対応する面会者情報データベース９６のレコード９６ａに音声情報ファイル（D0001.wav）を格納する。そして、制御部７１は、ステップＳＡ１の判断結果を「Ｎｏ」として、同判断を繰り返す。
【００８１】
また、集会の会場において、集会チケット１０1（ＩＣタグ１１1）を携帯した面会者（日本太郎）が、主催者と面会すべく、主催者に近づくと、ＩＣタグリーダ４０は、ＩＣタグ１１1から面会者ＩＤ１２1（Ｔ０００１）を非接触でリードする。
【００８２】
これにより、面会支援装置７０の制御部７１は、ステップＳＡ１の判断結果を「Ｙｅｓ」とする。ステップＳＡ２では、制御部７１は、面会者ＩＤ１２1（Ｔ０００１）を面会者情報管理装置９０へ送信する。
【００８３】
そして、面会者ＩＤ１２1（Ｔ０００１）が面会者情報管理装置９０に受信されると、ステップＳＡ３では、面会者情報管理装置９０の制御部９１は、面会支援装置７０からの面会者ＩＤが面会者用（アルファベットが「Ｄ」）であるか否かを判断し、この場合、判断結果を「Ｎｏ」とする。
【００８４】
図４に示したステップＳＡ１５では、制御部９１は、面会者ＩＤ１２1（Ｔ０００１）を検索キーとして、面会者情報データベース９６（図２参照）から面会者情報を検索する。ステップＳＡ１６では、制御部９１は、検索された面会者情報の面識フラグが１であるか否かを判断し、この場合、判断結果を「Ｙｅｓ」とする。
【００８５】
ステップＳＡ１７では、制御部９１は、タイマ９３からの時刻情報に基づいて、面会者ＩＤ１２１（Ｔ０００１）を受信した日時を、主催者が面会者（日本太郎）と面会した面会日時（2004/1/5 18:00）として、面会者ＩＤ１２1（Ｔ０００１）に対応するレコード９６ｂに格納する。
【００８６】
ステップＳＡ１８では、制御部９１は、面識有通知音声情報および面識有通知情報２１０（図７参照）を作成する。面識有通知音声情報は、レコード９６ｂ（図２参照）の面識フラグ＝１に対応しており、主催者と面会している面会者が、主催者と面識がある旨や、ステップＳＡ１５の検索結果に対応するプロファイルを主催者に音声で通知するための音声情報である。
【００８７】
一方、図７に示した面識有通知情報２１０は、主催者と面識がある旨や、ステップＳＡ１５の検索結果に対応するプロファイルを秘書に文字で通知するための情報である。
【００８８】
ステップＳＡ１９では、制御部９１は、移動通信ネットワーク１００および無線基地局１１０を介して、携帯端末８０の電子メールアドレス宛に面識有通知情報２１０（図７参照）を送信する。ステップＳＡ２０では、携帯端末８０の制御部８１は、面識有通知情報２１０を表示部８３に表示させる。
【００８９】
これにより、秘書は、主催者が、面会している面会者と面識があることを認識するとともに、自身の記憶に基づいて、当該面会者が面識有通知情報２１０に対応する人物であるかをチェックする。ここで、集会チケットの配布ミスで、面会者と面識有通知情報２１０に対応する人物とが一致しない場合、秘書は、その旨を主催者へ告げる。
【００９０】
また、ステップＳＡ２１では、制御部９１は、面識有通知音声情報を面会支援装置７０へ送信する。ステップＳＡ２２では、面会支援装置７０の制御部７１は、面会者情報管理装置９０からの面識有通知音声情報をイヤホン５０へ出力する。これにより、イヤホン５０からは、「面識あり  日本太郎  ＡＢＣ製薬株式会社  常務取締役  ２００３年１０月１５日  佐藤太郎を育てる会にて名刺交換」という音声が出力される。主催者は、現在面会している面会者の氏名、面識有り、プロファイルを認識し、当該面会者と、再会の挨拶や、情報交換のために会話をする。
【００９１】
ステップＳＡ２３では、制御部７１は、主催者と面会者（日本太郎）との会話をマイク６０を介して、録音し、会話に対応する音声情報ファイルを記憶部７３に一時記憶させる。ステップＳＡ２４では、制御部７１は、一定時間以上無音であるか否か、すなわち、当該面会が終了したか否かを判断し、この場合、判断結果を「Ｎｏ」として、ステップＳＡ２３の処理を実行する。
【００９２】
そして、面会が終了し、一定時間以上無音になると、制御部７１は、ステップＳＡ２４の判断結果を「Ｙｅｓ」とする。ステップＳＡ２５では、制御部７１は、記憶部７３に格納された音声情報ファイル（T0001.wav）を当該面会者ＩＤ１２1（Ｔ０００１）に対応付けて、面会者情報管理装置９０へ送信する。
【００９３】
ステップＳＡ２６では、面会者情報管理装置９０の制御部９１は、面会者ＩＤ１２1（Ｔ０００１）に対応する面会者情報データベース９６のレコード９６ｂに音声情報ファイル（T0001.wav）を格納する。そして、制御部７１は、ステップＳＡ１（図３参照）の判断結果を「Ｎｏ」として、同判断を繰り返す。
【００９４】
また、集会の会場において、集会チケット１０100（ＩＣタグ１１100）を携帯した面会者（山田健二）が、主催者と面会すべく、主催者に近づくと、ＩＣタグリーダ４０は、ＩＣタグ１１100から面会者ＩＤ１２100（Ｔ０１００）を非接触でリードする。
【００９５】
これにより、面会支援装置７０の制御部７１は、ステップＳＡ１の判断結果を「Ｙｅｓ」とする。ステップＳＡ２では、制御部７１は、面会者ＩＤ１２100（Ｔ０１００）を面会者情報管理装置９０へ送信する。
【００９６】
そして、面会者ＩＤ１２100（Ｔ０１００）が面会者情報管理装置９０に受信されると、ステップＳＡ３では、面会者情報管理装置９０の制御部９１は、面会支援装置７０からの面会者ＩＤが面会者用（アルファベットが「Ｄ」）であるか否かを判断し、この場合、判断結果を「Ｎｏ」とする。
【００９７】
図４に示したステップＳＡ１５では、制御部９１は、面会者ＩＤ１２100（Ｔ０１００）を検索キーとして、面会者情報データベース９６（図２参照）から面会者情報を検索する。ステップＳＡ１６では、制御部９１は、検索された面会者情報の面識フラグが１であるか否かを判断し、この場合、判断結果を「Ｎｏ」とする。
【００９８】
図５に示したステップＳＡ２７では、制御部９１は、タイマ９３からの時刻情報に基づいて、面会者ＩＤ１２100（Ｔ０１００）を受信した日時を、主催者が面会者（山田健二）と面会した面会日時（2004/1/5 18:10）として、面会者ＩＤ１２100（Ｔ０１００）に対応するレコード９６ｃに格納する。
【００９９】
ステップＳＡ２８では、制御部９１は、面識無通知音声情報および面識無通知情報２２０（図８参照）を作成する。面識無通知音声情報は、レコード９６ｃ（図２参照）の面識フラグ＝０に対応しており、主催者と面会している面会者が、主催者と面識が無い旨や、ステップＳＡ１５（図４参照）の検索結果に対応するプロファイルを主催者に音声で通知するための音声情報である。
【０１００】
一方、図８に示した面識無通知情報２２０は、主催者と面識が無い旨や、ステップＳＡ１５の検索結果に対応するプロファイルを秘書に文字で通知するための情報である。
【０１０１】
ステップＳＡ２９では、制御部９１は、移動通信ネットワーク１００および無線基地局１１０を介して、携帯端末８０の電子メールアドレス宛に面識無通知情報２２０（図８参照）を送信する。ステップＳＡ３０では、携帯端末８０の制御部８１は、面識無通知情報２２０を表示部８３に表示させる。これにより、秘書は、主催者が、面会している面会者と面識が無いことを認識する。
【０１０２】
また、ステップＳＡ３１では、制御部９１は、面識無通知音声情報を面会支援装置７０へ送信する。ステップＳＡ３２では、面会支援装置７０の制御部７１は、面会者情報管理装置９０からの面識無通知音声情報をイヤホン５０へ出力する。これにより、イヤホン５０からは、「面識無し  山田健二  ＸＹＺ電機株式会社  家電部長」という音声が出力される。これにより、主催者は、現在面会している面会者と面識が無いことを認識し、面会者と挨拶や情報交換のために会話をしたり、名刺を交換する。
【０１０３】
ステップＳＡ３３では、制御部７１は、主催者と面会者（山田健二）との会話をマイク６０を介して、録音し、会話に対応する音声情報ファイルを記憶部７３に一時記憶させる。ステップＳＡ３４では、制御部７１は、一定時間以上無音であるか否か、すなわち、当該面会が終了したか否かを判断し、この場合、判断結果を「Ｎｏ」として、ステップＳＡ３３の処理を実行する。
【０１０４】
そして、面会が終了し、一定時間以上無音になると、制御部７１は、ステップＳＡ３４の判断結果を「Ｙｅｓ」とする。ステップＳＡ３５では、制御部７１は、記憶部７３に格納された音声情報ファイル（T0100.wav）を当該面会者ＩＤ１２100（Ｔ０１００）に対応付けて、面会者情報管理装置９０へ送信する。
【０１０５】
ステップＳＡ３６では、面会者情報管理装置９０の制御部９１は、面会者ＩＤ１２100（Ｔ０１００）に対応する面会者情報データベース９６のレコード９６ｃに音声情報ファイル（T0100.wav）を格納する。そして、制御部７１は、ステップＳＡ１（図３参照）の判断結果を「Ｎｏ」として、同判断を繰り返す。
【０１０６】
そして、集会が終了すると、主催者（または秘書）は、面会者情報データベース９６の音声情報ファイルを再生しつつ、面会日時をキーとして、主催者が面接した面接者（代理人）から受け取った名刺の情報（面会者氏名、プロファイル）を面会者情報データベース９６に格納し、次回の集会に備える。
【０１０７】
なお、一実施例においては、面会支援装置７０と面会者情報管理装置９０とを別設した構成例について説明したが、面会支援装置７０に面会者情報管理装置９０の機能を持たせる構成例としてもよい。
【０１０８】
また、一実施例においては、ＩＣタグ（ＩＣタグ１１1等）から面会者ＩＤ（面会者ＩＤ１２1等）をリードする構成例について説明したが、ＩＣタグに面会者情報（面会者ＩＤ、面会者氏名、面識フラグ、プロファイル等：図２参照）をライトしておき、この面会者情報をＩＣタグリーダ４０でリードした後、面識の有無を主催者や秘書に報知する構成例としてもよい。
【０１０９】
以上説明したように、一実施例によれば、集会の主催者（開催者）と面会する面会者に携帯されるチケット（集会チケット１０1等）に設けられたＩＣタグ（ＩＣタグ１１1等）から、該面会者に関する面会者ＩＤ（面会者ＩＤ１２1等）をリードし、面会者ＩＤに基づいて、主催者が面会者と面識があるか否かの判断結果を主催者に報知することとしたので、再度の面会であるにもかかわらず初対面の振る舞いをする行為が防止されるため、面会者に不快感を与えることなく、スムーズに面会することができる。
【０１１０】
また、一実施例によれば、主催者と面会者との会話を音声情報ファイルとして録音し、面会者ＩＤおよび面会時刻に対応付けて、音声情報ファイルを面会者情報データベース９６に格納することとしたので、後日に音声情報ファイルを再生することにより、主催者に面会者を印象付けることができる。
【０１１１】
また、一実施例によれば、ＩＣタグ（ＩＣタグ２１1等）には、面会者が代理人であることを表す代理人情報（面会者ＩＤ２２1等）が記憶されており、該代理人に携帯されるチケット（代理人用集会チケット２０1等）に設けられたＩＣタグ（ＩＣタグ２１1等）から該代理人情報をリードし、代理人情報に基づいて、主催者と面会している者が代理人である旨を報知することとしたので、主催者が面会している者を代理人と認識した上でスムーズに面会することができる。
【０１１２】
また、一実施例によれば、主催者と代理人との会話を音声情報ファイルとして録音し、代理人および面会時刻に対応付けて、音声情報ファイルを格納することとしたので、後日に音声情報を再生することにより、主催者に代理人を印象付けることができる。
【０１１３】
また、一実施例によれば、面会者に関するプロファイルおよび面識の有無を主催者に報知することとしたので、プロファイルに基づいて、面会者と中身が濃い会話をすることができる。
【０１１４】
以上本発明にかかる一実施例について図面を参照して詳述してきたが、具体的な構成例はこの一実施例に限られるものではなく、本発明の要旨を逸脱しない範囲の設計変更等があっても本発明に含まれる。
【０１１５】
例えば、前述した一実施例においては、面会支援装置７０、面会者情報管理装置９０の機能を実現するためのプログラムを図９に示したコンピュータ読み取り可能な記録媒体４００に記録して、この記録媒体４００に記録されたプログラムを同図に示したコンピュータ３００に読み込ませ、実行することにより各機能を実現してもよい。
【０１１６】
同図に示したコンピュータ３００は、上記プログラムを実行するＣＰＵ（Central Processing Unit）３１０と、キーボード、マウス等の入力装置３２０と、各種データを記憶するＲＯＭ（Read Only Memory）３３０と、演算パラメータ等を記憶するＲＡＭ（Random Access Memory）３４０と、記録媒体４００からプログラムを読み取る読取装置３５０と、ディスプレイ、プリンタ等の出力装置３６０とから構成されている。
【０１１７】
ＣＰＵ３１０は、読取装置３５０を経由して記録媒体４００に記録されているプログラムを読み込んだ後、プログラムを実行することにより、前述した機能を実現する。なお、記録媒体４００としては、光ディスク、フレキシブルディスク、ハードディスク等が挙げられる。
【産業上の利用可能性】
【０１１８】
以上のように、本発明にかかる面会支援プログラム、面会支援方法および面会支援装置は、政治資金パーティ等の集会における面会に対して有用である。
【図面の簡単な説明】
【０１１９】
【図１】本発明にかかる一実施例の構成を示すブロック図である。
【図２】図１に示した面会者情報データベース９６のテーブル構造を示す図である。
【図３】同一実施例の動作を説明する図である。
【図４】同一実施例の動作を説明する図である。
【図５】同一実施例の動作を説明する図である。
【図６】同一実施例における代理人通知情報２００を示す図である。
【図７】同一実施例における面識有通知情報２１０を示す図である。
【図８】同一実施例における面識無通知情報２２０を示す図である。
【図９】同一実施例の変形例の構成を示すブロック図である。
【符号の説明】
【０１２０】
１０1  集会チケット
１１1  ＩＣタグ
１２1  面会者ＩＤ
２０1  代理人用集会チケット
２１1  ＩＣタグ
２２1  面会者ＩＤ
３０  記章
４０  ＩＣタグリーダ
５０  イヤホン
６０  マイク
７０  面会支援装置
７１  制御部
８０  携帯端末
８１  制御部
８３  表示部
９０  面会者情報管理装置
９１  制御部
９６  面会者情報データベース
【図１】
2005209016.tif 000003
【図２】
2005209016.tif 000004
【図３】
2005209016.tif 000005
【図４】
2005209016.tif 000006
【図５】
2005209016.tif 000007
【図６】
2005209016.tif 000008
【図７】
2005209016.tif 000009
【図８】
2005209016.tif 000010
【図９】
2005209016.tif 000011